(57)【要約】      （修正有）【課題】異なるサイズのスパイラル筋構造を組み合わせることで形成される多重スパイラル筋の複合構造を提供する。【解決手段】多重スパイラル筋の複合構造１００はセンタースパイラル筋層２００、中間スパイラル筋層３００、外周スパイラル筋層４００及びスパイラル筋層固定器５００を含む。前記センタースパイラル筋層２００は複数の第一クリアランス２１０を有する。中間スパイラル筋層３００は軸６００に沿ってセンタースパイラル筋層２００の周囲を取り囲み、センタースパイラル筋層２００の一部分は中間スパイラル筋層３００び内側に位置することになる。また、前記中間スパイラル筋層３００は複数の第二クリアランス３１０を有し、外周スパイラル筋層４００は軸６００に沿って中間スパイラル筋層３００の周囲を取り囲み、センタースパイラル筋層２００と中間スパイラル筋層３００は外周スパイラル筋層４００の内側に位置する。【選択図】図１ａ
0003142761.tif 000002
【実用新案登録請求の範囲】
【請求項１】
複数の第一クリアランス（隙間）を有するセンタースパイラル筋層と、
複数の第二クリアランスを有し、軸に沿って前記センタースパイラル筋層の周囲を取り囲むことで、前記センタースパイラル筋層の一部分が内側に位置するようになる少なくとも一つの中間スパイラル筋層と、
複数の第三クリアランスを有し、前記軸に沿って前記少なくとも一つの中間スパイラル筋層の周囲を取り囲むことで、前記センタースパイラル筋層と前記少なくとも一つの中間スパイラル筋層が内側に位置するようになる外周スパイラル筋層と、
前記第一クリアランス、前記第二クリアランス及び前記第三クリアランスの間に通す第一支持アームを有し、前記第一アームを前記センタースパイラル筋層と前記少なくとも一つの中間スパイラル筋層及び外周スパイラル筋層にそれぞれ固定して連接することで三者間の距離を固定するスパイラル筋層固定器具を含むことを特徴とする多重スパイラル筋の複合構造。
【請求項２】
前記センタースパイラル筋層と前記少なくとも一つの中間スパイラル筋層及び前記外周スパイラル筋層が前記軸に沿って伸展し、互い平行で交わらないことを特徴とする、請求項1に記載した多重スパイラル筋の複合構造。
【請求項３】
前記スパイラル筋層固定器具が、相互に連接された第二支持アームと第一支持アームを有し、前記第二支持アームは前記第一クリアランス、前記第二クリアランスと前記第三クリアランスの間を通し、センタースパイラル筋層、中間スパイラル筋層及び前記外周スパイラル筋層に固定して連接することを特徴とする、請求項1に記載した多重スパイラル筋の複合構造。
【考案の詳細な説明】
【技術分野】
【０００１】
本考案は、異なるサイズのスパイラル筋構造を組み合わせることで形成されるスパイラル筋構造に関する。
【背景技術】
【０００２】
一般的な鉄筋コンクリートの設計構造においては、構造の耐震性を高めるために、一般的に帯筋で鉄筋とコンクリートを拘束し、鉄筋と鉄筋とコンクリートが震動を受けてもしっかりと結合させておくことができる。
【０００３】
鉄骨鉄筋コンクリートを設計するとき、大抵は鉄骨を、荷重の支え及び引張、せん断への抵抗の主要な部品としている。そして鉄骨の周囲に鉄筋及び帯筋を加えることで、鉄骨が受ける力を分担しコンクリートの付着力を増加させ、横向きに力を受けたときの共振を減少させる。しかしながら、現在の鉄骨鉄筋コンクリートの設計においては、鉄筋部分の設計及び応用方式は単純であり、実際の施工上の要求を満足させるのは容易ではない。それ以外にも、柱形スパイラル筋の生産製造技術及び組立技術には限度があり、合理的な設計の下では、単一の柱形スパイラル筋が提供できる強度にやはり限りがある。
【考案の開示】
【考案が解決しようとする課題】
【０００４】
本考案は、異なるサイズのスパイラル筋構造を組み合わせて形成することで、拘束力を高め柱体構造の剛性を強化することができる多重スパイラル筋の複合構造を提供することを主な目的とする。
【０００５】
本考案は、コンクリートを流し込んで構造体の骨組みを形成する多重スパイラル筋の複合構造を提供することをもう一つの目的とする。
【０００６】
本考案は、構造を組み合わせて多重スパイラル筋の複合構造を形成することにより、施工効率を向上させることができる多重スパイラル筋の複合構造を提供することをもう一つの目的とする。
【課題を解決するための手段】
【０００７】
複数の第一クリアランス（隙間）を有するセンタースパイラル筋層と、
複数の第二クリアランスを有し、軸に沿って前記センタースパイラル筋層の周囲を取り囲むことで、前記センタースパイラル筋層の一部分が内側に位置するようになる少なくとも一つの中間スパイラル筋層と、
複数の第三クリアランスを有し、前記軸に沿って前記少なくとも一つの中間スパイラル筋層の周囲を取り囲むことで、前記センタースパイラル筋層と前記少なくとも一つの中間スパイラル筋層が内側に位置するようになる外周スパイラル筋層と、
前記第一クリアランス、前記第二クリアランス及び前記第三クリアランスの間に通す第一支持アームを有し、前記第一アームを前記センタースパイラル筋層と前記少なくとも一つの中間スパイラル筋層及び外周スパイラル筋層にそれぞれ固定して連接することで三者間の距離を固定するスパイラル筋層固定器具を含むことを特徴とする多重スパイラル筋の複合構造。
【考案の効果】
【０００８】
この多重スパイラル筋の複合構造によれば、鉄筋とコンクリートが強烈なせん断力を受けてもしっかりと結合させておくことができるので、一般のスパイラル筋構造より、建築構造の安定性及び完全性を更に保護することができる。
【考案を実施するための最良の形態】
【０００９】
以下、添付図面を参照して本考案の実施の形態を詳細に説明する。  
【実施例１】
【００１０】
図１ａ、図１ｂ及び図１ｃで示すように、本考案の多重スパイラル筋の複合構造１００はセンタースパイラル筋層２００、中間スパイラル筋層３００、外周スパイラル筋層４００及びスパイラル筋層固定器５００を含む。前記センタースパイラル筋層２００は複数の第一クリアランス２１０を有する。中間スパイラル筋層３００は軸６００に沿ってセンタースパイラル筋層２００の周囲を取り囲み、センタースパイラル筋層２００の一部分は中間スパイラル筋層３００の内側に位置することになる。また、前記中間スパイラル筋層３００は複数の第二クリアランス３１０を有し、外周スパイラル筋層４００は軸６００に沿って中間スパイラル筋層３００の周囲を取り囲み、センタースパイラル筋層２００と中間スパイラル筋層３００は外周スパイラル筋層４００の内側に位置することになる。前記外周スパイラル筋層４００は複数の第三クリアランス４１０を有する。
【００１１】
センタースパイラル筋層２００と中間スパイラル筋層３００及び外周スパイラル筋層４００はすべて同じ軸をもち且つ同心円の断面を有する。また、それらのスパイラル筋は全て、連続した中断されない鉄筋によって構成され、その種類は竹節鉄筋、溝形鋼、丸鋼を含むがこれに限定されるものではない。また、センタースパイラル筋層２００と少なくとも一つの中間スパイラル筋層３００及び外周スパイラル筋層４００は、軸６００に沿って延設され、互いに平行で交わらないが、施工規範及び異なる設計需要に対応して柔軟に調整することができる。
【００１２】
又、スパイラル筋層固定器５００は、第一クリアランス２１０、第二クリアランス３１０と第三クリアランス４１０に通す第一支持アーム５１０を有している。第一支持アーム５１０はセンタースパイラル筋層２００、中間スパイラル筋層３００及び外周スパイラル筋層４００にそれぞれ固定して連接され、三者間の距離を固定する。その固定方式は、溶接、螺合、固縛或いは類似効果を提供できるその他の方式及びそれらの組合せを含む。
【００１３】
さらに、第一クリアランス２１０と第二クリアランス３１０及び第三クリアランス４１０の間は実質１：１；１の比率を有するが、異なる実施例における第一クリアランス２１０、第二クリアランス３１０及び第三クリアランス４１０の比率についてはこれに限定されるものではない。
【００１４】
前記軸鉄筋６１０はそれぞれ外周スパイラル筋層４００の内側に連接され、センタースパイラル筋層２００と中間スパイラル筋層３００の間の距離は、外周スパイラル筋層４００と中間スパイラル筋層３００の間の距離と同じである。また、センタースパイラル筋層２００と中間スパイラル筋層３００の間の距離は外周スパイラル筋層４００と中間スパイラル筋層３００の間とは異なる。センタースパイラル筋層２００と中間スパイラル筋層３００及び外周スパイラル筋層４００の好ましい断面積比率は１：２．２５：４ないし１：１．３２：１．６５であるが、センタースパイラル筋層２００と中間スパイラル筋層３００及び外周スパイラル筋層４００の好ましい断面積比率は調整することができ、異なる設計需要と構造強度に対応することができる。
【００１５】
その他に、スパイラル筋層固定器５００は相互に連接されている第二支持アーム５２０と第一支持アーム５１０を有する。第二支持アーム５２０は第一クリアランス２１０、第二クリアランス３１０及び第三クリアランス４１０の間に通し、センタースパイラル筋層２００、中間スパイラル筋層３００及び外周スパイラル筋層４００のそれぞれに固定して連接する。同時に、第一クリアランス２１０、第二クリアランス３１０と第三クリアランス４１０の好ましい間隔は、５０ミリメートルないし１１０ミリメートルであるが、第一クリアランス２１０、第二クリアランス３１０及び第三クリアランス４１０を調整することで、異なる設計需要と構造強度に対応することができる。
【００１６】
中間スパイラル筋層３００とセンタースパイラル筋層２００及び外周スパイラル筋層４００の配合により、三者の鉄筋の直径及び号数を減少させつつ断面の強度を維持することができるので、全体の鉄筋の使用量を減らすことができるようになる。
【００１７】
図２が示すように、センタースパイラル筋層２００は軸６００に沿って時計回りのらせん方向に伸展し、中間スパイラル筋層３００と外周スパイラル筋層４００は反時計回りのらせん方向に伸展する。また、センタースパイラル筋層２００を反時計回りのらせん方向に伸展させ、中間スパイラル筋層３００と外周スパイラル筋層４００を時計回りのらせん方向に伸展させることもできる。さらに三者全てを時計回りのらせん方向に伸展することもできるし、中間スパイラル筋層３００と外周スパイラル筋層４００を異なるらせん方向にすることもできる。同時に、例えば中間スパイラル筋層３００を時計回りのらせん方向にし、外周スパイラル筋層４００を反時計回りの方向するなど、センタースパイラル筋層２００と中間スパイラル筋層３００のらせん方向を同じにすることも逆にすることもできる。そして、異なる設計需要と構造強度に対応することために、センタースパイラル筋層２００は時計回りにも反時計回りにもすることができる。
【図面の簡単な説明】
【００１８】
【図１ａ】本考案多重スパイラル筋の複合構造の組合せ立体図。
【図１ｂ】本考案多重スパイラル筋の複合構造における好ましい実施例の断面図。
【図１ｃ】本考案多重スパイラル筋の複合構造におけるもう一つの好ましい実施例の断面図。
【図２】本考案におけるもう一つの好ましい実施例の組合せ立体図。
【符号の説明】
【００１９】
１００  多重スパイラル筋の複合構造
２００  センタースパイラル筋層
２１０  第一クリアランス（隙間）
３００  中間スパイラル筋層
３１０  第二クリアランス
４００  外周スパイラル筋層
４１０  第三クリアランス
５００  スパイラル筋層固定器
５１０  第一支持アーム
５２０  第二支持アーム
６００  軸
６１０  軸鉄筋
【図１ａ】
0003142761.tif 000003
【図１ｂ】
0003142761.tif 000004
【図１ｃ】
0003142761.tif 000005
【図２】
0003142761.tif 000006